(57)【要約】【課題】サイフォン作用を始動させるための給水作業が不要となり、便利良く使えるようにする。【解決手段】サイフォン管（Ｐ）の吸入口となる水受け皿（２６）が上向く開口平面と、上記屈曲延長路（Ｅ）の吐出口（２８）が上向く開口平面とを、ほぼ同等の設置高さ（Ｌ−Ｌ）に保つと共に、そのサイフォン管（Ｐ）の内部全体に水を常時充満させておくことにより、上記厨芥物収容袋（１２）内の溜まり汚水（Ｗ）が増せば、その汚水（Ｗ）がサイフォン管（Ｐ）の吸入管（１８）から吐出管（１９）を経て、流し台のシンク（Ｓ）へ自づと抜き出されるように設定した。【選択図】  図２
2010255224.tif 000002
【特許請求の範囲】
【請求項１】
流し台に据え立てられるコーナー容器（Ｂ）と、その内部へ被着セットされる厨芥物収容袋（１２）と、上記コーナー容器（Ｂ）の内部に垂下する吸入管（１８）と流し台のシンク（Ｓ）に向かって垂下する吐出管（１９）とからほぼ倒立Ｕ字形に造形されたサイフォン管（Ｐ）とを備え、
そのサイフォン管（Ｐ）における吸入管（１８）の下端部に吸入口となる水受け皿（２６）を付属させる一方、同じく吐出管（１９）の下端部を吐出口（２８）が上向く貯水用屈曲延長路（Ｅ）としてほぼＵ字形に造形して、
上記吸入口となる水受け皿（２６）が上向く開口平面と、上記屈曲延長路（Ｅ）の吐出口（２８）が上向く開口平面とを、ほぼ同等の設置高さ（Ｌ−Ｌ）に保つと共に、
そのサイフォン管（Ｐ）の内部全体に水を常時充満させておくことにより、上記厨芥物収容袋（１２）内の溜まり汚水（Ｗ）が増せば、その汚水（Ｗ）がサイフォン管（Ｐ）の吸入管（１８）から吐出管（１９）を経て、流し台のシンク（Ｓ）へ自づと抜き出されるように設定したことを特徴とする流し台用厨芥物収容袋の排水装置。
【請求項２】
サイフォン管用受け入れ部（１７）が切り抜かれた別個な揚げ底盤（１６）を、コーナー容器（Ｂ）の内部へ抜き差し自在に差し込み嵌合させると共に、
サイフォン管（Ｐ）における吸入管（１８）の下端部に付属する水受け皿（２６）を、上記揚げ底盤（１６）のサイフォン管用受け入れ部（１７）へ振れ止め状態に差し込み使用することを特徴とする請求項１記載の流し台用厨芥物収容袋の排水装置。
【請求項３】
揚げ底盤（１６）を硬質ポリウレタンフォームやゴムなどの可塑物から、約１０〜１５mmの一定厚み（Ｔ）を備えた平盤形態に作成したことを特徴とする請求項２記載の流し台用厨芥物収容袋の排水装置。
【請求項４】
コーナー容器（Ｂ）の底面からサイフォン管用受け入れ部（１７）となる凹段面（３０）を、一定深さだけ陥没させると共に、
サイフォン管（Ｐ）における吸入管（１８）の下端部に付属する水受け皿（２６）を、上記コーナー容器（Ｂ）の凹段面（３０）へ振れ止め状態に差し込み使用することを特徴とする請求項１記載の流し台用厨芥物収容袋の排水装置。
【発明の詳細な説明】
【技術分野】
【０００１】
本発明は流し台のコーナー容器内に被着セットされた厨芥物収容袋から、その溜まり汚水を適宜シンクへ便利良く抜き出すための排水装置に関する。
【背景技術】
【０００２】
サイフォンの原理を利用した流し台用厨芥物収容袋の排水装置として、本出願人は先に特開２００８−１５６０７２号を提案した。これよりも本発明に近似した公知技術はないと考えられる。
【先行技術文献】
【特許文献】
【０００３】
【特許文献１】特開２００８−１５６０７２号公報
【発明の概要】
【発明が解決しようとする課題】
【０００４】
ところが、その後も鋭意検討を重ねた結果、上記公知発明でも未だ改良されるべき下記問題点のあることが判明した。
【０００５】
即ち、吸入管（１９）と吐出管（２０）とからほぼ倒立Ｕ字形をなすサイフォン管（Ｐ）の中には、水が常時充満していないため、厨芥物収容袋（１２）内の溜まり汚水（Ｗ１）を抜き出すたび毎に、背高いレベル（Ｌ−Ｌ）までの給水（Ｗ２）を行なって、サイフォン作用を始動させなければならず、その給水作業上甚だ煩らわしく不便である。
【０００６】
又、流し台用コーナー容器（Ｂ）の内部へ差し込み嵌合される給水用アダプター（Ａ）が不可欠であり、そのアダプター（Ａ）の形状は厨芥物収容袋（１２）を挟み付けるためにも、コーナー容器（Ａ）の形状と対応合致させなければならず、量産効果や汎用性を最大限に発揮させることができない。
【課題を解決するための手段】
【０００７】
本発明はこのような問題点の更なる改良を目的としており、その目的を達成するために、請求項１では流し台に据え立てられるコーナー容器と、その内部へ被着セットされる厨芥物収容袋と、上記コーナー容器の内部に垂下する吸入管と流し台のシンクに向かって垂下する吐出管とからほぼ倒立Ｕ字形に造形されたサイフォン管とを備え、
【０００８】
そのサイフォン管における吸入管の下端部に吸入口となる水受け皿を付属させる一方、同じく吐出管の下端部を吐出口が上向く貯水用屈曲延長路としてほぼＵ字形に造形して、
【０００９】
上記吸入口となる水受け皿が上向く開口平面と、上記屈曲延長路の吐出口が上向く開口平面とを、ほぼ同等の設置高さに保つと共に、
【００１０】
そのサイフォン管の内部全体に水を常時充満させておくことにより、上記厨芥物収容袋内の溜まり汚水が増せば、その汚水がサイフォン管の吸入管から吐出管を経て、流し台のシンクへ自づと抜き出されるように設定したことを特徴とする。
【００１１】
又、請求項２ではサイフォン管用受け入れ部が切り抜かれた別個な揚げ底盤を、コーナー容器の内部へ抜き差し自在に差し込み嵌合させると共に、
【００１２】
サイフォン管における吸入管の下端部に付属する水受け皿を、上記揚げ底盤のサイフォン管用受け入れ部へ振れ止め状態に差し込み使用することを特徴とする。
【００１３】
請求項３では揚げ底盤を硬質ポリウレタンフォームやゴムなどの可塑物から、約１０〜１５mmの一定厚みを備えた平盤形態に作成したことを特徴とする。
【００１４】
更に、請求項４ではコーナー容器の底面からサイフォン管用受け入れ部となる凹段面を、一定深さだけ陥没させると共に、
【００１５】
サイフォン管における吸入管の下端部に付属する水受け皿を、上記コーナー容器の凹段面へ振れ止め状態に差し込み使用することを特徴とする。
【発明の効果】
【００１６】
請求項１の上記構成によれば、サイフォン管の吸入口となる水受け皿が上向く開口平面と、屈曲延長路の吐出口が上向く開口平面とを、ほぼ同等の設置高さに保っており、そのサイフォン管の内部全体に水を常時充満してあるため、厨芥物収容袋内に溜まり汚水が発生すれば、その汚水はサイフォン作用によって自づと流し台のシンクへ抜き出されることになる。
【００１７】
その結果、冒頭に述べた公知発明のように、厨芥物収容袋内の溜まり汚水を抜き出すたび毎に、サイフォン作用を始動させるための給水作業をわざわざ加える必要がなく、使用上の利便性に著しく優れる。
【００１８】
又、サイフォン管における吸入管の下端部には吸入口となる水受け皿が付属されている一方、吐出管の下端部が上向きの吐出口を有するほぼＵ字形の貯水用屈曲延長路として造形されているため、そのサイフォン管の内部全体に水を常時充満した状態に安定良く保てる効果がある。
【００１９】
特に、請求項２の構成を採用するならば、流し台のコーナー容器へ別個な揚げ底盤を差し込み嵌合させることにより、その揚げ底盤のサイフォン管用受け入れ部へ、サイフォン管の吸入口となる水受け皿を振れ止め状態に差し込み使用することができ、揚げ底盤だけを交換すれば、各種大きさ・平面形状のコーナー容器に汎用し得る効果がある。
【００２０】
その場合、請求項３の構成を採用するならば、揚げ底盤のサイフォン管用受け入れ部に対する水受け皿の差し込み使用状態を、ますます安定裡に固定維持することができ、サイフォン管の倒れるおそれはない。
【００２１】
更に、請求項４の構成を採用するならば、そのコーナー容器の底面から一定深さだけ陥没した凹段面の内部へ、サイフォン管の吸入口となる水受け皿をやはり振れ止め状態に安定良く差し込み使用できる効果がある。
【図面の簡単な説明】
【００２２】
【図１】本発明に係る排水装置の第１実施形態を示す平面図である。
【図２】図１の２−２線断面図である。
【図３】サイフォン管を抽出して示す平面図である。
【図４】図３の側面図である。
【図５】図３の５−５線断面図である。
【図６】図５の６−６線拡大断面図である。
【図７】揚げ底盤の変形実施形態を示す平面図である。
【図８】図７の一部を抽出して示す拡大平面図である。
【図９】小型化した揚げ底盤を示す図７に対応する平面図である。
【図１０】本発明に係る排水装置の第２実施形態を示す図２に対応する断面図である。
【発明を実施するための形態】
【００２３】
以下、図面に基いて本発明の具体的構成を詳述すると、図１〜６はその本発明に係る排水装置の第１実施形態を示しており、（Ｂ）は流し台のシンク（Ｓ）に設置される一定深さのコーナー容器であって、硬質な合成樹脂からほぼ直角三角形や半月形などの平面輪郭形状に、しかもその囲い壁面（１１）の上向き拡開する傾斜テーパー面として一体成形されている。
【００２４】
そして、このようなコーナー容器（Ｂ）の内部に軟質な透明合成樹脂フィルム製の厨芥物収容袋（１２）が被着セットされることとなる。（１３）はコーナー容器（Ｂ）の底面（１４）のみか、又はその底面（１４）と上記囲い壁面（１１）との角隅部へ、櫛目状や網目状に切り抜かれた多数の水切り用スリット、（１５）は同じくコーナー容器（Ｂ）の底面（１４）から連続一体に垂下する複数のスタンドであり、これによって流し台のシンク（Ｓ）へ安定良く据え立て使用される。
【００２５】
（１６）は上記コーナー容器（Ｂ）の内部へ抜き差し自在に差し込み嵌合される別個な揚げ底盤であって、上記コーナー容器（Ｂ）よりも低硬度の合成樹脂（例えば硬質ポリウレタンフォームやポリスチレンフォーム、発泡スチロールなど）やゴム、その他の可塑物から一定な厚み（Ｔ）（例えば約１０〜１５mm）の平盤形態をなしており、これにはサイフォン管用受け入れ部（１７）が設けられている。
【００２６】
そのサイフォン管用受け入れ部（１７）を図２では、言わば底無しの円形受け入れ口として貫通形成しているが、これに代る底有りの受け入れ凹段面として、一定深さだけ陥没させるにとどめても良く、要するに後述のサイフォン管（Ｐ）における吸入管の下端部を、その揚げ底盤（１６）のサイフォン管用受け入れ部（１７）へ受け入れて、振れ止め状態に固定維持できれば足りる。
【００２７】
サイフォン管（Ｐ）は向かい合うほぼ倒立Ｌ字形の吸入管（１８）と吐出管（１９）とから、全体的なほぼ倒立Ｕ字形の屈曲高架路（Ｈ）をなしており、これは吸入管（１８）と吐出管（１９）との分解不能な連続一体品として、その中を外部から透視できる硬質な合成樹脂から作成してもさしつかえないが、何れも図２のような所要長さのストレート管部（１８ａ）（１９ａ）とエルボ管部（１８ｂ）（１９ｂ）に分割して、そのストレート管部（１８ａ）（１９ａ）とエルボ管部（１８ｂ）（１９ｂ）とを接続一体化することにより、各々ほぼ倒立Ｌ字形に造形しても良い。
【００２８】
そうすれば、サイフォン管（Ｐ）の吸入管（１８）並びに吐出管（１９）として硬質な合成樹脂のみならず、特にそのストレート管部（１８ａ）（１９ａ）としてステンレス鋼管やアルミ管などの金属管を採用することも可能になる。
【００２９】
又、上記吸入管（１８）と吐出管（１９）とのエルボ管部（１８ｂ）（１９ｂ）同士を、図２のようなコーナー容器（Ｂ）の開口上縁部に跨がる屈曲高架路（Ｈ）として、互いに螺合締結することにより組み立てることが好ましい。そうすれば、その互いに連通した螺合締結状態を解くことにより、サイフォン管（Ｐ）を分解掃除することもできるからである。
【００３０】
更に、そのサイフォン管（Ｐ）の吸入管（１８）と吐出管（１９）とを組み立てる場合でも、同図から明白であるように、その両エルボ管部（１８ｂ）（１９ｂ）に連続する共通の雌ネジ（２０）を刻設すると共に、別個な接手管（２１）に対応形成した雄ネジ（２２）と、その雌ネジ（２０）とを着脱自在に螺合締結しても良い。
【００３１】
何れにしても、上記サイフォン管（Ｐ）の吐出管（１９）はコーナー容器（Ｂ）の内部へ挿入されるものとして、そのエルボ管部（１８ｂ）からストレート管部（１８ａ）が比較的短く（浅く）垂下しており、その下端部の吸入口環（２３）が下向き開口状態にある。その吸入口環（２３）の円周面には横向き開口する縦櫛目状の導水用スリット（２４）を切り欠いておくことが望ましい。
【００３２】
（２５）は同じく吸入口環（２３）の円周面から放射対称分布型に張り出す複数本（図例では合計３本）として、一体的に垂下された脚柱であり、これには下方から硬質な合成樹脂製の水受け皿（２６）が被覆状態に螺合締結されている。そのため、上記吸入管（１８）の下端部をなす吸入口環（２３）が、その下方から水受け皿（２６）によって密閉されてしまうおそれはない。
【００３３】
そして、そのサイフォン管（Ｐ）の吸入口環（２３）を包囲した状態にある径大な水受け皿（２６）が図２のように、上記コーナー容器（Ｂ）における揚げ底盤（１６）のサイフォン管用受け入れ部（１７）へ上方から差し込み嵌合されて、上記厨芥物収容袋（１２）内の溜まり汚水（Ｗ）だけを水受け皿（２６）から吸入口環（２３）を通じて、サイフォン管（Ｐ）の吸入管（１８）へ確実に吸い上げることができるようになっている。
【００３４】
他方、サイフォン管（Ｐ）の吐出管（１９）は流し台のシンク（Ｓ）に臨むものとして、そのエルボ管部（１９ｂ）からストレート管部（１９ａ）が比較的長く（深く）垂下しており、その下端部から上記コーナー容器（Ｂ）の開口上縁部に跨がるほぼ倒立Ｕ字形の屈曲高架路（Ｈ）と言わば逆なＵ字形をなす貯水用屈曲延長路（Ｅ）が、引き続き延長された状態にある。
【００３５】
つまり、吐出管（１９）の下端部をなす屈曲延長路（Ｅ）は、これも好ましくは上記屈曲高架路（Ｈ）の構成とほぼ同じく、別個の接手管（２７）を介して連通状態に螺合締結された向かい合う一対のほぼＬ字形エルボ管部（１９ｃ）（１９ｄ）から形作られており、しかもその屈曲延長路（Ｅ）の上向きに開口する吐出口（２８）の開口平面と、上記吸入管（１８）における水受け皿（２６）の上向き開口平面（コーナー容器の揚げ底面）とが、ほぼ同等の設置高さ（Ｌ−Ｌ）に保たれている。
【００３６】
その結果、コーナー容器（Ｂ）の内部に開口する吸入管（１８）の水受け皿（２６）から、流し台のシンク（Ｓ）へ臨む吐出管（１９）の吐出口（２８）までのサイフォン管（Ｐ）全体に、常時水を充満させることができ、そのコーナー容器（Ｂ）内に被着セットされている厨芥物収容袋（１２）の溜まり汚水（Ｗ）が発生すれば、これをサイフォン管（Ｐ）の吸入管（１８）から自づと確実に吸い上げ、吐出管（１９）を通じて流し台のシンク（Ｓ）へ抜き出せるのであり、そのサイフォン作用を始動させる水の補給作業が不要となる。
【００３７】
この点、図１〜６に示した本発明の第１実施形態では、コーナー容器（Ｂ）と対応する大きさ・形状の別個な揚げ底盤（１６）を、そのコーナー容器（Ｂ）の内部へ差し込み嵌合させると共に、その揚げ底盤（１６）のサイフォン管用受け入れ部（１７）へサイフォン管（Ｐ）の吸入口となる水受け皿（２６）を、上方から差し込み固定使用するようになっているため、各種大きさ・平面形状のコーナー容器（Ｂ）に対して、その揚げ底盤（１６）だけの交換により汎用できるほか、厨芥物収容袋（１２）の溜まり汚水（Ｗ）を残ることなく、すべて流し台のシンク（Ｓ）へ完全に排出し得る利点もある。
【００３８】
又、上記別個な揚げ底盤（１６）としても１枚物のみに限らず、図７〜９の変形実施形態に例示する如く、多数の同じハニカムやその他の平面形状を備えた揚げ底盤片（１６ａ）が、薄肉又は／及び柔軟な連結部（２９）を介して並列された形態品を採用し、これを連結部（２９）から容易に切り取り小型化して、コーナー容器（Ｂ）の大きさ・形状に適合させることが好ましい。サイフォン管用受け入れ部（１７）が、予じめ切り抜き開口されていることに変りはない。
【００３９】
但し、サイフォン管（Ｐ）の吸入口になる水受け皿（２６）と、貯水用屈曲延長路（Ｅ）の吐出口（２８）とを、その上向き開口する平面同士のほぼ等しい設置高さ（Ｌ−Ｌ）に保てる限りでは、図２と対応する図１０の第２実施形態に示す如く、コーナー容器（Ｂ）の底面に一定深さ（Ｄ）（例えば約１０〜１５mm）だけ陥没する凹段面（３０）を形成し、その凹段面（３０）をサイフォン管用受け入れ部（１７）として、ここへサイフォン管（Ｐ）の上記水受け皿（２６）を振れ止め状態に差し込み使用するように定めても良い。
【００４０】
尚、その他の構成は上記第１実施形態と実質的に同一であるため、その図１０に図１〜６との対応符号を記入するにとどめて、その第２実施形態の詳細な説明を省略する。
【００４１】
上記第１実施形態の構成を備えた排水装置の使用により、流し台のコーナー容器（Ｂ）内に被着セットされている厨芥物収容袋（１２）から、その溜まり汚水（Ｗ）を抜き出すに当っては、サイフォン管（Ｐ）の吸入口となる水受け皿（２６）を図２のように、上記コーナー容器（Ｂ）の揚げ底盤（１６）に開口するサイフォン管用受け入れ部（１７）へ、上方から厨芥物収容袋（１２）を押え付ける状態に差し込み嵌合させる一方、同じくサイフォン管（Ｐ）における吐出管（１９）の貯水用屈曲延長路（Ｅ）を、流し台のシンク（Ｓ）へ臨ませるのであり、その場合必要に応じて、上記サイフォン管（Ｐ）がコーナー容器（Ｂ）の開口上縁部に跨がる屈曲高架路（Ｈ）を、そのコーナー容器（Ｂ）へ図外の適当な支持用具により、安定良く受け止め支持させる。
【００４２】
そこで、その排水装置の使用当初だけコーナー容器（Ｂ）の内部へ給水することにより、その水を上記サイフォン管（Ｐ）の内部全体に常時充満させて、真空が発生しない状態に保っておくのである。
【００４３】
そうすれば、流し台での調理が進行し、厨芥物収容袋（１２）内の溜まり汚水（Ｗ）が発生し、これが増すに連れて、その汚水（Ｗ）はサイフォン管（Ｐ）における吸入管（１８）の水受け皿（２６）から自づと吸い上げられ、同じくサイフォン管（Ｐ）における吐出管（１９）の下端部をなす屈曲延長路（Ｅ）の吐出口（２８）から、流し台のシンク（Ｓ）へ洩れなく抜き出されることになる。
【００４４】
その結果、その溜まり汚水（Ｗ）が排出された厨芥物収容袋（１２）を把持して、その水切り状態にある厨芥物だけを、別な廃棄用のゴミ袋やゴミ箱（図示省略）へ移し入れ処理することができる。
【００４５】
更に、上記サイフォン管（Ｐ）の内部全体が常時水の充満状態に保たれている限り、厨芥物収容袋（１２）の溜まり汚水（Ｗ）を何時までも自づと抜き出すことができ、その抜き出すたび毎に新らたな水の補給作業を繰り返す必要はない。
【００４６】
尚、上記排水装置を使用しない場合には、そのサイフォン管（Ｐ）をコーナー容器（Ｂ）の揚げ底盤（１６）から抜き出し、更にその揚げ底盤（１６）もコーナー容器（Ｂ）から抜き出し分解して、各々清掃したり、保管したりすれば良い。
【符号の説明】
【００４７】
（１１）・囲い壁面
（１２）・厨芥物収容袋
（１３）・スリット
（１４）・底面
（１５）・スタンド
（１６）・揚げ底盤
（１６ａ）・揚げ底盤片
（１７）・サイフォン管用受け入れ部
（１８）・吸入管
（１９）・吐出管
（１８ａ）（１９ａ）・ストレート管部
（１８ｂ）（１９ｂ）（１９ｃ）（１９ｄ）・エルボ管部
（２０）・雌ネジ
（２１）（２７）・接手管
（２２）・雄ネジ
（２３）・吸入口環
（２４）・スリット
（２５）・脚柱
（２６）・水受け皿
（２８）・吐出口
（２９）・連結部
（３０）・凹段面
（Ｂ）・コーナー容器
（Ｄ）・深さ
（Ｅ）・屈曲延長路
（Ｈ）・屈曲高架路
（Ｓ）・シンク
（Ｔ）・厚み
（Ｗ）・溜まり汚水
（Ｌ−Ｌ）・設置高さ
【図１】
2010255224.tif 000003
【図２】
2010255224.tif 000004
【図３】
2010255224.tif 000005
【図４】
2010255224.tif 000006
【図５】
2010255224.tif 000007
【図６】
2010255224.tif 000008
【図７】
2010255224.tif 000009
【図８】
2010255224.tif 000010
【図９】
2010255224.tif 000011
【図１０】
2010255224.tif 000012